(57)【要約】【課題】基礎定盤を用いることなく、溶接物を位置決めするための治具を水平面上に支持できる基礎架台を提供する。【解決手段】基礎架台５，６は、溶接物を位置決めするための治具を支持するものであって、設置面７上に設置された状態で治具を支持する架台本体８と、その設置面７に対する架台本体８の傾きの角度及び方向を調整する調整部９と、を備える。そして、組み立て工場等の床を設置面７として同設置面７上に、基礎架台５，６の架台本体８が設置される。更に、基礎架台５，６の架台本体８に支持された治具が水平面上に支持された状態となるよう、調整部９を通じて設置面７に対する架台本体８の傾きの角度及び方向が調整される。このように設置面７に対する傾斜の角度及び方向が調整された架台本体８で治具を支持することにより、組み立て工場等の床に基礎定磐を設けることなく、溶接物を位置決めするための治具を水平面上に支持することができる。【選択図】図２
2018202467.tif 000002
【特許請求の範囲】
【請求項１】
溶接物を位置決めするための治具を支持する基礎架台であって、
設置面上に設置された状態で前記治具を支持する架台本体と、
前記設置面に対する前記架台本体の傾きの角度及び方向を調整する調整部と、
を備えることを特徴とする基礎架台。
【請求項２】
前記架台本体は、前記治具を移動可能に支持するコンベアと、そのコンベアによって支持された前記治具を同コンベアの延びる方向に移動するよう案内する案内機構と、を備えている請求項１に記載の基礎架台。
【請求項３】
前記架台本体は、水平方向に延びた状態となる四角形状を有しており、
前記調整部は、前記架台本体における四つの隅部にそれぞれ位置して同隅部の設置面に対する高さ位置を調整する調整脚を備える請求項１又は２に記載の基礎架台。
【請求項４】
前記調整脚は、前記架台本体における四つの隅部のうちの隣り合う隅部同士の間にも設けられている請求項３に記載の基礎架台。
【請求項５】
前記調整部には、前記調整脚により前記架台本体における前記設置面に対する高さ位置が調整された部分を、そのときの高さ位置で固定するための固定部が、前記調整脚に対応して設けられている請求項３又は４に記載の基礎架台。
【請求項６】
前記調整脚は、前記設置面と前記架台本体の下面との間に位置して同下面に対しねじ込まれており、前記架台本体の下面に対するねじ込み量を変更することによって、前記設置面に対する前記架台本体の高さ位置を調整するものであり、
前記固定部は、前記架台本体の側面に対しねじ込まれるボルトと、そのボルトによって前記架台本体の側面に対し固定される固定片と、を備えており、
前記ボルトは、水平方向に並列となるよう複数設けられており、
前記固定片には、複数の前記ボルトに対応して水平方向に並列に位置するとともに同ボルトが貫通する複数のスリットが上下方向に延びるように形成されている請求項５に記載の基礎架台。
【発明の詳細な説明】
【技術分野】
【０００１】
本発明は、組立用支持装置に設けられる基礎架台に関する。
【背景技術】
【０００２】
特許文献１に示されるように、自動車等の車体は、アンダーボディ及びサイドメンバーといった部材が含まれている。そして、組み立て工場等において、それらの部材同士をそれぞれ別の治具で位置決めした状態で溶接することにより、車体が形成されるようになっている。車体を形成するための上述した部材（溶接物）同士の溶接では、その溶接を通じて高い精度で車体の組み立てを行うため、溶接物を位置決めする上記治具を水平面上に支持した状態で行うことが望まれている。
【０００３】
こうしたことを実現するため、上記治具を水平面上に支持するための装置として、車体の組み立て工場等の床に組立用支持装置を設けることが考えられる。この組立用支持装置には上記治具を支持するための設置面を有する基礎定盤が設けられており、同基礎定盤は上記設置面を水平となるように調整することが可能となっている。従って、上記治具が支持される設置面が水平となるよう基礎定盤を調整することにより、水平面上に上記治具を支持することができるようになる。
【先行技術文献】
【特許文献】
【０００４】
【特許文献１】特許第４１０２３６３号公報
【発明の概要】
【発明が解決しようとする課題】
【０００５】
ところで、組み立て工場等で組み立てられる車体を、より大型の車種のものに切り換える場合がある。この場合、車体の大型化に伴って溶接物も大型化するとともに同溶接物を位置決めする治具も大型化するため、それに合わせて組立用支持装置の基礎定盤を設置面の広いものに大型化しなければならなくなる。
【０００６】
しかし、上記基礎定盤は組み立て工場等の床に設けられるものであるため、設置面の広い別の基礎定盤に入れ替えようとすると、そのための作業に多大な手間と時間を要することになる。また、組み立て工場等においては、床に基礎定盤を設置した後、車体の組み立てに必要な他の設備の配置がスペースの節約を考慮したうえで定められるため、基礎定盤を大きなものに入れ替えるだけのスペースがない可能性が高い。
【０００７】
本発明の目的は、基礎定盤を用いることなく、溶接物を位置決めするための治具を水平面上に支持できる基礎架台を提供することにある。
【課題を解決するための手段】
【０００８】
以下、上記課題を解決するための手段及びその作用効果について記載する。
上記課題を解決する基礎架台は、溶接物を位置決めするための治具を支持するものであって、設置面上に設置された状態で上記治具を支持する架台本体と、その設置面に対する上記架台本体の傾きの角度及び方向を調整する調整部と、を備える。
【０００９】
この構成によれば、組み立て工場等の床を設置面として同設置面上に、溶接物を位置決めするための上記治具を支持する架台本体が設置される。そして、架台本体に支持された上記治具が水平面上に支持された状態となるよう、調整部を通じて設置面に対する架台本体の傾きの角度及び方向が調整される。このように設置面に対する傾きの角度及び方向が調整された架台本体で上記治具を支持することにより、組み立て工場等の床に基礎定磐を設けることなく、溶接物を位置決めするための上記治具を水平面上に支持することができる。
【００１０】
上記基礎架台において、上記架台本体は、上記治具を移動可能に支持するコンベアと、そのコンベアによって支持された上記治具を同コンベアの延びる方向に移動するよう案内する案内機構と、を備えるものとすることが考えられる。
【００１１】
この構成によれば、治具を基礎架台のコンベア上で同コンベアの延びる方向に移動させる際、案内機構によって上記治具がコンベアの幅方向等にずれることを抑制することができ、そのずれを生じさせることなく上記移動を実現することができる。
【００１２】
上記基礎架台において、上記架台本体は水平方向に延びた状態となる四角形状を有しており、上記調整部は架台本体における四つの隅部にそれぞれ位置して同隅部の設置面に対する高さ位置を調整する調整脚を備えるものとすることが考えられる。
【００１３】
この構成によれば、架台本体における四つの隅部にそれぞれ位置している調整脚を通じて、設置面に対する上記四つの隅部の高さ位置を個別に調整することにより、設置面に対する架台本体の傾きの角度及び方向を調整することができる。
【００１４】
また、上記調整脚については、上記架台本体における四つの隅部のうちの隣り合う隅部同士の間にも設けることが考えられる。
この構成によれば、架台本体が水平方向に長く形成されている場合であっても、隣り合う隅部に対応して位置する調整脚間の調整脚により、架台本体における隣り合う隅部の間に位置する部分を設置面上に支持することができる。このため、水平方向に長く形成されている架台本体を水平にしやすくなり、その架台本体を用いて上記治具を水平面上に支持しやすくなる。
【００１５】
上記基礎架台において、上記調整部には、次のような固定部が調整脚に対応して設けられていてもよい。この固定部は、上記調整脚により架台本体における設置面に対する高さ位置が調整された部分を、そのときの高さ位置で固定するものである。
【００１６】
この構成によれば、調整脚により設置面に対する架台本体の高さ位置が調整されると、その高さ位置が固定部により固定されるため、調整脚による高さ位置の調整後に架台本体の高さ位置が変化することを抑制できる。
【００１７】
上記基礎架台において、上記調整脚は、設置面と架台本体の下面との間に位置して同下面に対しねじ込まれており、架台本体の下面に対するねじ込み量を変更することによって、設置面に対する架台本体の高さ位置を調整するものとすることが考えられる。上記固定部は、架台本体の側面に対しねじ込まれるボルトと、そのボルトによって架台本体の側面に対し固定される固定片と、を備えるものとされる。更に、上記ボルトは、水平方向に並列となるよう複数設けられるものとされる。また、上記固定片には、複数の前記ボルトに対応して水平方向に並列に位置するとともに同ボルトが貫通する複数のスリットを、上下方向に延びるように形成する。
【００１８】
上記構成によれば、固定部のボルトを緩めて固定片を上下方向に変位可能とした状態で、架台本体の下面に対する調整脚のねじ込み量を調整することにより、設置面に対する架台本体の高さ位置が調整される。その後、固定片を設置面に対し当接する位置まで上下方向に変位させ、同固定片が設置面に対し当接した位置で上記ボルトを締め込むことにより、架台本体の高さ位置が調整脚を通じて調整された位置で固定される。仮に、固定部において、固定片の上記スリット及び同スリットを貫通する上記ボルトがそれぞれ一つだけ設けられているとすると、上述したように固定部により架台本体の高さ位置が固定されているとき、固定片がボルト周りに回転する方向にずれるおそれがあり、そうした固定片のずれにより架台本体の設置面に対する高さ位置の固定が不安定になるおそれがある。しかし、上記スリット及び上記ボルトは水平方向に並列となるように複数設けられているため、上述したように固定片がボルト周りに回転する方向にずれることはない。
【図面の簡単な説明】
【００１９】
【図１】車体を形成するための組み立てラインにおける溶接物の溶接が行われる部分を示す略図。
【図２】上記溶接物を水平面上に支持するための組立用支持装置を上方から見た状態を示す平面図。
【図３】上記溶接物を位置決めするための治具を組立用支持装置の基礎架台によって支持した状態を示す斜視図。
【図４】基礎架台による治具の支持態様を示す斜視図。
【図５】基礎架台による治具の脚部の支持態様を示す斜視図。
【図６】基礎架台に設けられた案内機構を示す斜視図。
【発明を実施するための形態】
【００２０】
以下、基礎架台の一実施形態について、図１〜図６を参照して説明する。
図１は、自動車等の車体を形成するための組み立てラインＬにおいて、同車体におけるアンダーボディ１及びサイドメンバー２といった部材同士を、それぞれ治具３，４で位置決めした状態で互いに溶接する部分を示している。なお、これらアンダーボディ１及びサイドメンバー２は、車体において互いに溶接される溶接物である。
【００２１】
図２は、上述した組み立てラインＬにおいて、アンダーボディ１とサイドメンバー２とを溶接するに当たり、それらアンダーボディ１及びサイドメンバー２を水平面上に支持するための組立用支持装置を上方から見た状態を示している。この組立用支持装置には、アンダーボディ１を位置決めするための治具３（図１）を支持する基礎架台５、及び、サイドメンバー２を位置決めするための治具４（図１）を支持する基礎架台６が設けられている。
【００２２】
基礎架台５は、組み立てラインＬに沿った方向である図２の左右方向に長く延びるよう、組み立て工場の床（設置面７）に設置されている。設置面７における基礎架台５の隣には、上記治具３を基礎架台５上に案内するためのレール１６が、基礎架台５と同方向に延びるように敷設されている。
【００２３】
一方、基礎架台６は、組み立てラインＬの延びる方向に対し直交する方向である図２の上下方向に長く延びるよう、上記設置面７に設置されている。更に、基礎架台６は、基礎架台５を図２の上下方向に挟むように、且つ、図２の左右方向に並列となるように、複数設けられている。設置面７における基礎架台６の隣には、上記治具４を基礎架台６上に案内するためのレール１７が、基礎架台６と同方向に延びるように敷設されている。
【００２４】
基礎架台５，６は、上記設置面７に設置された状態で上記治具３，４を支持する架台本体８と、上記設置面７に対する架台本体８の傾きの角度及び方向を調整する調整部９と、を備えている。そして、この調整部９による設置面７に対する架台本体８の傾きの角度及び方向の調整を通じて、基礎架台５，６の架台本体８で支持された治具３，４を水平面上で支持された状態となるようにすることができる。
【００２５】
基礎架台５の架台本体８は、水平方向に延びた状態となる四角形の枠状に形成された支持枠１０を備えている。そして、基礎架台５の調整部９には、上記架台本体８（支持枠１０）における四つの隅部にそれぞれ位置して同隅部の設置面７に対する高さ位置を調整する調整脚１１が設けられている。更に、調整脚１１は、上記架台本体８における四つの隅部のうち、図２の左右方向に隣り合う隅部同士の間にも、設けられている。なお、隣り合う同士の間に位置する調整脚１１は、図２の左右方向について所定の間隔をおいて設けられている。
【００２６】
基礎架台５における支持枠１０の上面には、複数のコロコンベア１２が固定されている。コロコンベア１２は、図２の左右方向に延びるフレーム１３と、そのフレーム１３の対向面間に設けられた複数のコロ１４と、を備えている。そして、複数のコロ１４は、フレーム１３の延びる方向に並べられており、同フレーム１３の対向面間において回転可能に支持されている。基礎架台５の架台本体８においては、複数のコロコンベア１２が、組み立てラインＬの延びる方向である図２の左右方向について直列となり、且つ、組み立てラインＬの延びる方向に対し直交する方向である図２の上下方向に並列となるよう、支持枠１０の上面に固定されている。
【００２７】
一方、基礎架台６の架台本体８には、直方体状（上方から見て四角形状）に形成された支持部材１５が設けられている。そして、基礎架台６の調整部９にも、上記架台本体８（支持部材１５）における四つの隅部、すなわち上記架台本体８を上方から見たときの四つの隅部にそれぞれ位置して同隅部の設置面７に対する高さ位置を調整する調整脚１１が設けられている。基礎架台６における支持部材１５の上面には、支持枠１０上に固定された上記コロコンベア１２と同様のコロコンベア１２が、支持部材１５と同方向（図２の上下方向）に延びた状態で固定されている。
【００２８】
図３に示すように、治具３は、上記レール１６によって転がる方向が定められる車輪１８を備えており、その車輪１８が上記レール１６に沿って転がることにより基礎架台５の上まで案内される。一方、治具４は、組み立てラインＬを挟む両側のうち、片側に位置する複数の基礎架台６に対応するように、複数の脚部１９を備えている。これら脚部１９には、対応する基礎架台６の隣に位置する上記レール１７によって転がる方向が定められる車輪２０が設けられている。そして、車輪２０が上記レール１７に沿って転がることにより、治具４の脚部１９が基礎架台５の上まで案内される。なお、治具４は、組み立てラインＬを挟む両側にそれぞれ配置される。
【００２９】
図４及び図５はそれぞれ、基礎架台５による治具３の支持態様、及び、基礎架台６による治具４の脚部１９の支持態様を示している。図４に示すように、治具３は、基礎架台５の上に案内されることにより、同基礎架台５におけるコロコンベア１２のコロ１４によって支持される。このときの治具３は、上記コロコンベア１２におけるコロ１４の回転によって基礎架台５上を移動することが可能となっている。また、図５に示すように、治具４の脚部１９は、基礎架台６の上に案内されることにより、同基礎架台６におけるコロコンベア１２のコロ１４によって支持される。このときの治具４は、上記コロコンベア１２におけるコロ１４の回転によって基礎架台６上を移動することが可能となっている。
【００３０】
図６に示すように、基礎架台６には、治具４の脚部１９がコロコンベア１２のコロ１４によって支持されたとき、同脚部１９を基礎架台６（コロコンベア１２）の延びる方向に移動するよう案内する案内機構２１が設けられている。この案内機構２１は、回転可能に支持された縦ローラ２２及び横ローラ２３を備えている。縦ローラ２２は、その中心線が上記コロコンベア１２におけるコロ１４の中心線と同方向に延びており、コロ１４によって支持された脚部１９の下端に形成されているフランジ２４の上面２４ａに接する。また、横ローラ２３は、その中心線が鉛直方向に延びており、脚部１９におけるフランジ２４の側面２４ｂに接する。
【００３１】
従って、脚部１９がコロコンベア１２の上で基礎架台６の延びる方向に移動するとき、同脚部１９の上方への動きが縦ローラ２２によって規制されるとともに、同脚部１９におけるコロコンベア１２の幅方向への動きが横ローラ２３及びレール１７によって規制される。これにより、コロコンベア１２の上において、脚部１９が、同コロコンベア１２の幅方向にずれることなく、基礎架台６（コロコンベア１２）の延びる方向に移動するよう案内される。なお、上記案内機構２１は、図２に示すように、組み立てラインＬを挟む両側のうち、片側に位置する複数の基礎架台５において、組み立てラインＬの延びる方向の両側の基礎架台５にそれぞれ設けられている。
【００３２】
次に、基礎架台５，６の調整部９について詳しく説明する。
図５に示すように、調整部９の調整脚１１は、設置面７（図３）と架台本体８（図５の例では支持部材１５）の下面との間に位置しており、その下面に対しねじ込まれている。そして、架台本体８の下面に対する調整脚１１のねじ込み量を変更することにより、上記設置面７に対する架台本体８の高さ位置が調整される。
【００３３】
また、調整部９には、調整脚１１により架台本体８における設置面７に対する高さ位置が調整された部分を、そのときの高さ位置で固定するための固定部２６が、上記調整脚１１に対応して設けられている。この固定部２６は、架台本体８の側面に対しねじ込まれるボルト２７と、そのボルト２７によって架台本体８の側面に対し固定される固定片２８と、を備えている。なお、レール１７寄りに位置する調整脚１１に対応した固定片２８は、そのレール１７と干渉しないよう架台本体８の長手方向両端の側面に固定されている。
【００３４】
上記ボルト２７は、水平方向に並列となるよう複数設けられている。また、上記固定片２８には、複数のボルト２７に対応して水平方向に並列に位置するとともに同ボルト２７が貫通する複数のスリット２９が上下方向に延びるように形成されている。そして、複数のボルト２７を緩めることにより固定片２８が架台本体８に対し上下方向に相対的に変位することが可能となり、複数のボルト２７を締め付けることにより固定片２８が架台本体８に対し固定されるようになる。
【００３５】
なお、図５には基礎架台６における調整部９を示して同調整部９について説明したが、図２及び図４に示す基礎架台５の調整部９についても、上記基礎架台６の調整部９と同様、調整脚１１及び固定部２６（ボルト２７、固定片２８）を備える構造となっている。このため、基礎架台５の調整部９については基礎架台６の調整部９と同じ符号を付して説明を省略する。
【００３６】
次に、基礎架台５，６の作用について説明する。
組み立て工場等の床を設置面７として同設置面７上に、アンダーボディ１を位置決めするための治具３を支持する基礎架台５が設置されるとともに、サイドメンバー２を位置決めするための治具４を支持する基礎架台６が設置される。
【００３７】
基礎架台５の架台本体８は、同基礎架台５の調整部９を通じて設置面７に対する傾きの角度及び方向が調整され、それによって上記架台本体８で支持される治具３が水平面上に支持された状態となるようにされる。こうした設置面７に対する上記架台本体８の傾きの角度及び方向の調整は、上記調整部９における各調整脚１１、及び、それら調整脚１１に対応して設けられている各固定部２６（ボルト２７、固定片２８）を用いて、次のように行われる。
【００３８】
すなわち、各調整脚１１に対応する固定部２６において、ボルト２７を緩めることにより固定片２８を架台本体８（支持枠１０）に対し上下方向に相対的に変位可能な状態とする。この状態のもと、各調整脚１１における上記架台本体８の下面に対するねじ込み量をそれぞれ調整すると、上記架台本体８における各調整脚１１がねじ込まれた部分の設置面７に対する高さ位置が個別に調整されるようになる。こうした高さ位置の調整を通じて、基礎架台５によって支持される治具３が水平面上に支持された状態となるよう、設置面７に対する上記架台本体８の傾きの角度及び方向が調整される。
【００３９】
設置面７に対する上記架台本体８の傾きの角度及び方向が調整は、主に上記架台本体８の四つの隅部にそれぞれ位置する調整脚１１によって行われる。また、隣り合う隅部の間に位置する調整脚１１については、上記架台本体８における水平方向に長く延びた部分を設置面７上に支持するためのものである。このように隣り合う隅部の間に位置する調整脚１１で上記架台本体８を支持することにより、その架台本体８が水平方向に長く形成されていても同架台本体８を水平にしやすくなる。
【００４０】
各調整脚１１を通じて基礎架台５で支持される治具３が水平面上に支持された状態となるようにされた後、各調整脚１１に対応する固定部２６において、固定片２８が上下方向に変位されることにより、同固定片２８の下端が設置面７に接するようにされる。更に、固定片２８は、その下端が設置面７に接したときの位置でボルト２７の締め付けにより上記架台本体８に対し固定される。これにより、上記架台本体８における調整脚１１がねじ込まれた部分の高さ位置が、同調整脚１１によって調整されたときの位置で、上記固定部２６（固定片２８）によって固定される。そして、上述したように設置面７に対する傾きの角度及び方向が調整された基礎架台５の架台本体８で、アンダーボディ１を位置決めするための上記治具３が支持されるようになる。
【００４１】
一方、各基礎架台６の架台本体８も、それら基礎架台６の調整部９を通じて設置面７に対する傾きの角度及び方向が調整され、それによって上記架台本体８で支持される治具４が水平面上に支持された状態となるようにされる。こうした設置面７に対する上記架台本体８の傾きの角度及び方向の調整は、上記調整部９における各調整脚１１、及び、それら調整脚１１に対応して設けられている各固定部２６（ボルト２７、固定片２８）を用いて、次のように行われる。
【００４２】
各調整脚１１はそれぞれ、上記架台本体８（支持部材１５）における四つの隅部に位置しており、それら調整脚１１に対応する固定部２６において、ボルト２７を緩めることにより固定片２８を架台本体８に対し上下方向に相対的に変位可能な状態とする。この状態のもと、各調整脚１１における上記架台本体８の下面に対するねじ込み量をそれぞれ調整すると、上記架台本体８における四つの隅部の設置面７に対する高さ位置が個別に調整されるようになる。こうした高さ位置の調整を通じて、基礎架台６によって支持される治具４が水平面上に支持された状態となるよう、設置面７に対する上記架台本体８の傾きの角度及び方向が調整される。
【００４３】
各調整脚１１を通じて基礎架台６で支持される治具３が水平面上に支持された状態となるようにされた後、各調整脚１１に対応する固定部２６において、固定片２８が上下方向に変位されることにより、同固定片２８の下端が設置面７に接するようにされる。更に、固定片２８は、その下端が設置面７に接したときの位置でボルト２７の締め付けにより上記架台本体８に対し固定される。これにより、上記架台本体８における四つの隅部の高さ位置が、同調整脚１１によって調整されたときの位置で、上記固定部２６（固定片２８）によって固定される。そして、上述したように設置面７に対する傾きの角度及び方向が調整された基礎架台６の架台本体８で、サイドメンバー２を位置決めするための上記治具４の脚部１９が支持されるようになる。
【００４４】
車体を組み立てる際には、上記治具３によって位置決めされたアンダーボディ１と上記治具４によって位置決めされたサイドメンバー２とが溶接される。こうしたアンダーボディ１とのサイドメンバー２との溶接は、基礎架台５の架台本体８によって上記治具３を水平面上に支持した状態、且つ、基礎架台６の架台本体８で上記治具４を水平面上に支持した状態で行われる。このように水平面上に支持された上記治具３，４によって位置決めされているアンダーボディ１とサイドメンバー２とを溶接することにより、その溶接を通じて高い精度で車体の組み立てを行うことができるようになる。
【００４５】
以上詳述した本実施形態によれば、以下に示す効果が得られるようになる。
（１）車体の組み立て工場において、基礎定盤を用いることなく、アンダーボディ１及びサイドメンバー２といった溶接物を位置決めするための治具３，４を基礎架台５，６によって水平面上に支持することができる。
【００４６】
（２）組み立て工場において、そこで組み立てられる車体をより大型の車種のものに切り換えるような場合でも、基礎架台５，６を容易に移設することができるとともに、移設後の基礎架台５，６を水平に調整することが調整部９を通じて容易に行われるようになる。従って、組み立て工場において、組み立てられる車体を異なる車種のものに容易に切り換えることができる。また、上述した基礎架台５，６の移設では、広さの異なる基礎定盤の入れ替えと比べて、組み立て工場におけるスペース上の制約を受けにくい。
【００４７】
（３）治具４の脚部１９を基礎架台６（架台本体８）のコロコンベア１２上で同コロコンベア１２の延びる方向に移動させる際、案内機構２１によって上記脚部１９がコロコンベア１２の幅方向等にずれることを抑制することができ、そのずれを生じさせることなく上記移動を実現することができる。
【００４８】
（４）上記調整部９は、基礎架台５，６の架台本体８における四つの隅部に位置する調整脚１１を備えており、それら調整脚１１を通じて設置面７に対する上記四つの隅部の高さ位置を調整することができる。そして、調整脚１１を通じて架台本体８の四つの隅部の設置面７に対する高さ位置を調整することにより、設置面７に対する架台本体８の傾きの角度及び方向を調整することができる。
【００４９】
（５）基礎架台５の架台本体８のように同架台本体８が水平方向に長く形成されている場合であっても、隣り合う隅部に対応して位置する調整脚１１間の調整脚１１により、架台本体８における隣り合う隅部の間に位置する部分を設置面７上に支持することができる。このため、水平方向に長く形成されている架台本体８を水平にしやすくなり、その架台本体８（基礎架台５）を用いて治具３を水平面上に支持しやすくなる。
【００５０】
（６）調整脚１１により設置面７に対する架台本体８の高さ位置が調整されると、その高さ位置が固定部２６（ボルト２７、固定片２８）により固定されるため、調整脚１１による高さ位置の調整後に架台本体８の高さ位置が変化することを抑制できる。
【００５１】
（７）上記固定部２６において、仮に、固定片２８の上記スリット２９及び同スリット２９を貫通する上記ボルト２７がそれぞれ一つだけ設けられているとすると、次のような問題が生じるおそれがある。すなわち、上述したように固定部２６により架台本体８の高さ位置が固定されているとき、固定片２８がボルト２７周りに回転する方向にずれるおそれがあり、そうした固定片２８のずれにより架台本体８の設置面７に対する高さ位置の固定が不安定になるおそれがある。しかし、上記スリット２９及び上記ボルト２７は水平方向に並列となるように複数設けられているため、上述したように固定片２８がボルト２７周りに回転する方向にずれることはない。
【００５２】
なお、上記実施形態は、例えば以下のように変更することもできる。
・上記固定部２６において、ボルト２７と固定片２８のスリット２９とを一つずつにしてもよい。
【００５３】
・上記固定部２６については必ずしも設ける必要はない。
・治具３，４によって位置決めされる溶接物としてアンダーボディ１及びサイドメンバー２を例示したが、上記溶接物はそれら以外のものであってもよい。
【００５４】
・基礎架台５における架台本体８の形状として四角形の枠状を例示したが、それ以外の形状であってもよい。
・基礎架台６における架台本体の形状として直方体状を例示したが、それ以外の形状であってもよい。
【００５５】
・コロコンベア１２以外のコンベアを採用してもよい。
・基礎架台６において必ずしも案内機構２１を設ける必要はない。
【符号の説明】
【００５６】
１…アンダーボディ、２…サイドメンバー、３…治具、４…治具、５…基礎架台、６…基礎架台、７…設置面、８…架台本体、９…調整部、１０…支持枠、１１…調整脚、１２…コロコンベア、１３…フレーム、１４…コロ、１５…支持部材、１６…レール、１７…レール、１８…車輪、１９…脚部、２０…車輪、２１…案内機構、２２…縦ローラ、２３…横ローラ、２４…フランジ、２４ａ…上面、２４ｂ…側面、２６…固定部、２７…ボルト、２８…固定片、２９…スリット。
【図１】
2018202467.tif 000003
【図２】
2018202467.tif 000004
【図３】
2018202467.tif 000005
【図４】
2018202467.tif 000006
【図５】
2018202467.tif 000007
【図６】
2018202467.tif 000008